(57)【要約】      （修正有）【課題】コンピュータケーブルを、二端のコネクタで発光表示するだけでなく、ケーブル全体の導線も発光表示の作用と機能を具備するものとし、チェック、整理及び識別に便利とする。【解決手段】透明絶縁材料で外部が被覆された導線２２、２２’と、導線の二端に位置して内部に発光ダイオードが設けられたコネクタ２１、２１’を具えたコンピュータ用発光ケーブルにおいて、該導線内部に全條の冷光線３２、３２’が設けられ、且つ透明ケースを具えた判読装置３０が介装され、該判読装置に検出起動回路３１が設けられ、該検出起動回路によりコンピュータと周辺設備の接続を検出し、並びに冷光線及び二端のコネクタの発光ダイオードに発光表示させる。【選択図】図２
0003105001.tif 000002
【実用新案登録請求の範囲】
【請求項１】
透明絶縁材料で外部が被覆された導線と、導線の二端に位置して内部に発光ダイオードが設けられたコネクタを具えたコンピュータ用発光ケーブルにおいて、該導線内部に全條の冷光線が設けられ、且つ透明ケースを具えた判読装置が介装され、該判読装置に検出起動回路が設けられ、該検出起動回路によりコンピュータと周辺設備の接続を検出し、並びに冷光線及び二端のコネクタの発光ダイオードに発光表示させることを特徴とする、コンピュータ用発光ケーブル。
【考案の詳細な説明】
【技術分野】
【０００１】
本考案は、一種のコンピュータ用発光ケーブルに係り、特に、全條が透明絶縁材料で被覆されたケーブルであり、その導線及び二端のコネクタがいずれもコンピュータと周辺機器の接続状態を発光、点滅表示可能で、コンピュータと周辺機器の接続のチェック、整理及び識別に便利な専用ケーブルに関する。
【背景技術】
【０００２】
図１は周知のコンピュータ用発光ケーブルの表示図である。図示されるように、それはコンピュータと周辺設備の接続に使用されるケーブル１０、例えばＵＳＢケーブル、ＩＥＥＥ１３９４ケーブルとされ、導線１２及び二端のコネクタ１１、１１’で組成されている。そのうち、二端のコネクタ１１、１１’内部構造に発光ダイオードが設けられ、一方のコネクタ１１、１１’の内部に検出回路が設けられ、導線１２に対して状態の検出並びに表示を行ない、外部は透明プラスチック絶縁材料で被覆されている。このようなコンピュータ用発光ケーブルは、それは、コンピュータと周辺設備の接続に使用される時、導線１２が導通しているか否か、信号伝送が正常か否かを、二端の透明なコネクタ１１、１１’にあって発光表示する。
【０００３】
周知のケーブル１０は、その導線１２がコンピュータと周辺設備を接続する環境に合わせて相当な長さを有するものとされる。また、その二端のコネクタ１１、１１’は往々にしてコンピュータ或いは周辺設備の後部の隠れた部分に接続され、コネクタ１１、１１’が接続、伝送状態を発光表示するとはいえ、相当に長い導線１２の配置上、その他の複雑に接続された導線との絡み合い、及び、導線１２自体が接続、伝送状態の発光表示機能を具備せず、ゆえにこのように長いケーブル１０は、チェック、整理及び識別上、簡単でなく困難であるという欠点を有している。
【考案の開示】
【考案が解決しようとする課題】
【０００４】
本考案の主要な目的は、コンピュータの伝送線の導線内部に冷光線を設け、並びに判読装置を組み合わせて導線及び信号伝送を検出し、コンピュータケーブルを、二端のコネクタで発光表示するだけでなく、ケーブル全体の導線も発光表示の作用と機能を具備するものとし、チェック、整理及び識別に便利とすることにある。
【０００５】
本考案の次の目的は、コンピュータケーブルの導線内部の冷光線に、異なる発光カラーを割り当て、異なる発光カラーでコンピュータと周辺設備の接続の関係を表示するようにし、これによりチェック、整理及び識別上の不便を有効に解決できるようにすることにある。
【課題を解決するための手段】
【０００６】
請求項１の考案は、透明絶縁材料で外部が被覆された導線と、導線の二端に位置して内部に発光ダイオードが設けられたコネクタを具えたコンピュータ用発光ケーブルにおいて、該導線内部に全條の冷光線が設けられ、且つ透明ケースを具えた判読装置が介装され、該判読装置に検出起動回路が設けられ、該検出起動回路によりコンピュータと周辺設備の接続を検出し、並びに冷光線及び二端のコネクタの発光ダイオードに発光表示させることを特徴とする、コンピュータ用発光ケーブルとしている。
【考案の効果】
【０００７】
本考案は、コンピュータ用発光ケーブルの導線内部に冷光線を設け、並びに判読装置を組み合わせて導線及び信号伝送を検出し、コンピュータケーブルを、二端のコネクタで発光表示するだけでなく、ケーブル全体の導線も発光表示の作用と機能を具備するものとし、チェック、整理及び識別に便利としている。
【０００８】
本考案はまた、コンピュータ用発光ケーブルの導線内部の冷光線に、異なる発光カラーを割り当て、異なる発光カラーでコンピュータと周辺設備の接続の関係を表示するようにし、これによりチェック、整理及び識別上の不便を有効に解決できる。
【考案を実施するための最良の形態】
【０００９】
本考案は外部を透明絶縁材料で被覆した導線と内部に発光ダイオードが設けられた二端のコネクタで構成されたコンピュータ用発光ケーブルにおいて、導線内部に全條の冷光線が設けられ、並びに判読装置が介装され、該判読装置に検出起動回路が設けられ、該検出起動回路によりコンピュータと周辺設備の接続の検出を行ない、並びに冷光線及び二端のコネクタの発光ダイオードに発光表示させるよう形成されている。
【実施例１】
【００１０】
図２、３を参照されたい。本考案はコンピュータと周辺設備の接続に使用されるコンピュータ用発光ケーブル２０を提供し、それはＵＳＢケーブル或いはＩＥＥＥ１３９４ケーブル等とされ、外部が透明絶縁材料で被覆された導線２２、２２’と二端のコネクタ２１、２１’で構成されている。そのうち、二端のコネクタ２１、２１’内部には発光ダイオードが設けられている。本考案の主要な特徴は以下のとおりである。導線２２、２２’の内部に全條の冷光線（ＥＬ）３２、３２’が設けられ、且つ透明ケースを具えた判読装置３０が介装され、該判読装置３０に検出起動回路３１が設けられ、該検出起動回路３１によりコンピュータと周辺設備が接続された時に導線２２、２２’の導通と非導通、信号伝送の正常と不正常を検出し、並びに検出起動回路３１により冷光線３２、３２’及び二端のコネクタ２１、２１’の発光ダイオードを駆動して発光表示させる。
【００１１】
前述の検出起動回路３１の電源はコンピュータより得られ、検出起動回路３１によりコンピュータの５Ｖ電源が１４０Ｖ〜１８０Ｖに昇圧され、冷光線３２、３２’を駆動して発光表示させる。該判読装置３０の検出起動回路３１は、コンピュータと周辺設備の接続を検出し、導線２２、２２’が導通すれば点灯表示し（図４）、不導通であれば発光しない。導線２２、２２’の信号伝送が正常であれば、点滅表示し、不正常であれば点滅表示しない。
【００１２】
本考案のコンピュータ用発光ケーブル２０はその導線２２、２２’内部に設けられた冷光線３２、３２’、及び導線２２、２２’に介装された判読装置３０により、コンピュータ用発光ケーブル２０の二端のコネクタ２１、２１’を発光表示させ、且つ全体の導線２２、２２’に特定の色で発光表示させ、これによりチェック、整理及び識別の便利性を提供し、周知のコンピュータ用発光ケーブルに較べ、改良性と実用性を具え、完全に実用新案登録の要件を満たしている。
【図面の簡単な説明】
【００１３】
【図１】周知のコンピュータ用発光ケーブルの表示図である。
【図２】本考案の構造表示図である。
【図３】図２の組合せ表示図である。
【図４】本考案の使用状態表示図である。
【符号の説明】
【００１４】
１０  コンピュータ用発光ケーブル        １１、１１’  コネクタ
１２  導線                              ２０  コンピュータ用発光ケーブル
２１、２１’  コネクタ                  ２２、２２’  導線
３０  判読装置                          ３１  検出起動回路
３２、３２’  冷光線
【図１】
0003105001.tif 000003
【図２】
0003105001.tif 000004
【図３】
0003105001.tif 000005
【図４】
0003105001.tif 000006
【手続補正書】
【提出日】平成16年6月3日(2004.6.3)
【手続補正１】
【補正対象書類名】実用新案登録請求の範囲
【補正対象項目名】全文
【補正方法】変更
【補正の内容】
【実用新案登録請求の範囲】
【請求項１】
透明絶縁材料で外部が被覆された導線と、導線の二端に位置して内部に発光ダイオードが設けられたコネクタを具えたコンピュータ用発光ケーブルにおいて、該導線内部に線状の蛍光発生手段が設けられ、且つ透明ケースを具えた判読装置が介装され、該判読装置に検出起動回路が設けられ、該検出起動回路によりコンピュータと周辺設備の接続を検出し、並びに線状の蛍光発生手段及び二端のコネクタの発光ダイオードに発光表示させることを特徴とする、コンピュータ用発光ケーブル。
【手続補正２】
【補正対象書類名】明細書
【補正対象項目名】全文
【補正方法】変更
【補正の内容】
【考案の詳細な説明】
【技術分野】
【０００１】
本考案は、一種のコンピュータ用発光ケーブルに係り、特に、全條が透明絶縁材料で被覆されたケーブルであり、その導線及び二端のコネクタがいずれもコンピュータと周辺機器の接続状態を発光、点滅表示可能で、コンピュータと周辺機器の接続のチェック、整理及び識別に便利な専用ケーブルに関する。
【背景技術】
【０００２】
図１は周知のコンピュータ用発光ケーブルの表示図である。図示されるように、それはコンピュータと周辺設備の接続に使用されるケーブル１０、例えばＵＳＢケーブル、ＩＥＥＥ１３９４ケーブルとされ、導線１２及び二端のコネクタ１１、１１’で組成されている。そのうち、二端のコネクタ１１、１１’内部構造に発光ダイオードが設けられ、一方のコネクタ１１、１１’の内部に検出回路が設けられ、導線１２に対して状態の検出並びに表示を行ない、外部は透明プラスチック絶縁材料で被覆されている。このようなコンピュータ用発光ケーブルは、それは、コンピュータと周辺設備の接続に使用される時、導線１２が導通しているか否か、信号伝送が正常か否かを、二端の透明なコネクタ１１、１１’にあって発光表示する。
【０００３】
周知のケーブル１０は、その導線１２がコンピュータと周辺設備を接続する環境に合わせて相当な長さを有するものとされる。また、その二端のコネクタ１１、１１’は往々にしてコンピュータ或いは周辺設備の後部の隠れた部分に接続され、コネクタ１１、１１’が接続、伝送状態を発光表示するとはいえ、相当に長い導線１２の配置上、その他の複雑に接続された導線との絡み合い、及び、導線１２自体が接続、伝送状態の発光表示機能を具備せず、ゆえにこのように長いケーブル１０は、チェック、整理及び識別上、簡単でなく困難であるという欠点を有している。
【考案の開示】
【考案が解決しようとする課題】
【０００４】
本考案の主要な目的は、コンピュータの伝送線の導線内部に線状の蛍光発生手段を設け、並びに判読装置を組み合わせて導線及び信号伝送を検出し、コンピュータケーブルを、二端のコネクタで発光表示するだけでなく、ケーブル全体の導線も発光表示の作用と機能を具備するものとし、チェック、整理及び識別に便利とすることにある。
【０００５】
本考案の次の目的は、コンピュータケーブルの導線内部の線状の蛍光発生手段に、異なる発光カラーを割り当て、異なる発光カラーでコンピュータと周辺設備の接続の関係を表示するようにし、これによりチェック、整理及び識別上の不便を有効に解決できるようにすることにある。
【課題を解決するための手段】
【０００６】
請求項１の考案は、透明絶縁材料で外部が被覆された導線と、導線の二端に位置して内部に発光ダイオードが設けられたコネクタを具えたコンピュータ用発光ケーブルにおいて、該導線内部に線状の蛍光発生手段が設けられ、且つ透明ケースを具えた判読装置が介装され、該判読装置に検出起動回路が設けられ、該検出起動回路によりコンピュータと周辺設備の接続を検出し、並びに線状の蛍光発生手段及び二端のコネクタの発光ダイオードに発光表示させることを特徴とする、コンピュータ用発光ケーブルとしている。
【考案の効果】
【０００７】
本考案は、コンピュータ用発光ケーブルの導線内部に線状の蛍光発生手段を設け、並びに判読装置を組み合わせて導線及び信号伝送を検出し、コンピュータケーブルを、二端のコネクタで発光表示するだけでなく、ケーブル全体の導線も発光表示の作用と機能を具備するものとし、チェック、整理及び識別に便利としている。
【０００８】
本考案はまた、コンピュータ用発光ケーブルの導線内部の線状の蛍光発生手段に、異なる発光カラーを割り当て、異なる発光カラーでコンピュータと周辺設備の接続の関係を表示するようにし、これによりチェック、整理及び識別上の不便を有効に解決できる。
【考案を実施するための最良の形態】
【０００９】
本考案は外部を透明絶縁材料で被覆した導線と内部に発光ダイオードが設けられた二端のコネクタで構成されたコンピュータ用発光ケーブルにおいて、導線内部に線状の蛍光発生手段が設けられ、並びに判読装置が介装され、該判読装置に検出起動回路が設けられ、該検出起動回路によりコンピュータと周辺設備の接続の検出を行ない、並びに線状の蛍光発生手段及び二端のコネクタの発光ダイオードに発光表示させるよう形成されている。
【実施例１】
【００１０】
図２、３を参照されたい。本考案はコンピュータと周辺設備の接続に使用されるコンピュータ用発光ケーブル２０を提供し、それはＵＳＢケーブル或いはＩＥＥＥ１３９４ケーブル等とされ、外部が透明絶縁材料で被覆された導線２２、２２’と二端のコネクタ２１、２１’で構成されている。そのうち、二端のコネクタ２１、２１’内部には発光ダイオードが設けられている。本考案の主要な特徴は以下のとおりである。導線２２、２２’の内部に全條の線状の蛍光発生手段（ＥＬ）３２、３２’が設けられ、且つ透明ケースを具えた判読装置３０が介装され、該判読装置３０に検出起動回路３１が設けられ、該検出起動回路３１によりコンピュータと周辺設備が接続された時に導線２２、２２’の導通と非導通、信号伝送の正常と不正常を検出し、並びに検出起動回路３１により線状の蛍光発生手段３２、３２’及び二端のコネクタ２１、２１’の発光ダイオードを駆動して発光表示させる。
【００１１】
前述の検出起動回路３１の電源はコンピュータより得られ、検出起動回路３１によりコンピュータの５Ｖ電源が１４０Ｖ〜１８０Ｖに昇圧され、線状の蛍光発生手段３２、３２’を駆動して発光表示させる。該判読装置３０の検出起動回路３１は、コンピュータと周辺設備の接続を検出し、導線２２、２２’が導通すれば点灯表示し（図４）、不導通であれば発光しない。導線２２、２２’の信号伝送が正常であれば、点滅表示し、不正常であれば点滅表示しない。
【００１２】
本考案のコンピュータ用発光ケーブル２０はその導線２２、２２’内部に設けられた線状の蛍光発生手段３２、３２’、及び導線２２、２２’に介装された判読装置３０により、コンピュータ用発光ケーブル２０の二端のコネクタ２１、２１’を発光表示させ、且つ全体の導線２２、２２’に特定の色で発光表示させ、これによりチェック、整理及び識別の便利性を提供し、周知のコンピュータ用発光ケーブルに較べ、改良性と実用性を具え、完全に実用新案登録の要件を満たしている。
【図面の簡単な説明】
【００１３】
【図１】周知のコンピュータ用発光ケーブルの表示図である。
【図２】本考案の構造表示図である。
【図３】図２の組合せ表示図である。
【図４】本考案の使用状態表示図である。
【符号の説明】
【００１４】
１０  コンピュータ用発光ケーブル        １１、１１’  コネクタ
１２  導線                              ２０  コンピュータ用発光ケーブル
２１、２１’  コネクタ                  ２２、２２’  導線
３０  判読装置                          ３１  検出起動回路
３２、３２’  線状の蛍光発生手段
【手続補正書】
【提出日】平成16年6月18日(2004.6.18)
【手続補正１】
【補正対象書類名】実用新案登録請求の範囲
【補正対象項目名】全文
【補正方法】変更
【補正の内容】
【実用新案登録請求の範囲】
【請求項１】
透明絶縁材料で外部が被覆された導線と、導線の二端に位置して内部に発光ダイオードが設けられたコネクタを具えたコンピュータ用発光ケーブルにおいて、該導線内部に線状のエレクトロルミネッセンス手段が設けられ、且つ透明ケースを具えた判読装置が介装され、該判読装置に検出起動回路が設けられ、該検出起動回路によりコンピュータと周辺設備の接続を検出し、並びに線状のエレクトロルミネッセンス手段及び二端のコネクタの発光ダイオードに発光表示させることを特徴とする、コンピュータ用発光ケーブル。
【手続補正２】
【補正対象書類名】明細書
【補正対象項目名】全文
【補正方法】変更
【補正の内容】
【考案の詳細な説明】
【技術分野】
【０００１】
本考案は、一種のコンピュータ用発光ケーブルに係り、特に、全條が透明絶縁材料で被覆されたケーブルであり、その導線及び二端のコネクタがいずれもコンピュータと周辺機器の接続状態を発光、点滅表示可能で、コンピュータと周辺機器の接続のチェック、整理及び識別に便利な専用ケーブルに関する。
【背景技術】
【０００２】
図１は周知のコンピュータ用発光ケーブルの表示図である。図示されるように、それはコンピュータと周辺設備の接続に使用されるケーブル１０、例えばＵＳＢケーブル、ＩＥＥＥ１３９４ケーブルとされ、導線１２及び二端のコネクタ１１、１１’で組成されている。そのうち、二端のコネクタ１１、１１’内部構造に発光ダイオードが設けられ、一方のコネクタ１１、１１’の内部に検出回路が設けられ、導線１２に対して状態の検出並びに表示を行ない、外部は透明プラスチック絶縁材料で被覆されている。このようなコンピュータ用発光ケーブルは、それは、コンピュータと周辺設備の接続に使用される時、導線１２が導通しているか否か、信号伝送が正常か否かを、二端の透明なコネクタ１１、１１’にあって発光表示する。
【０００３】
周知のケーブル１０は、その導線１２がコンピュータと周辺設備を接続する環境に合わせて相当な長さを有するものとされる。また、その二端のコネクタ１１、１１’は往々にしてコンピュータ或いは周辺設備の後部の隠れた部分に接続され、コネクタ１１、１１’が接続、伝送状態を発光表示するとはいえ、相当に長い導線１２の配置上、その他の複雑に接続された導線との絡み合い、及び、導線１２自体が接続、伝送状態の発光表示機能を具備せず、ゆえにこのように長いケーブル１０は、チェック、整理及び識別上、簡単でなく困難であるという欠点を有している。
【考案の開示】
【考案が解決しようとする課題】
【０００４】
本考案の主要な目的は、コンピュータの伝送線の導線内部に線状のエレクトロルミネッセンス手段を設け、並びに判読装置を組み合わせて導線及び信号伝送を検出し、コンピュータケーブルを、二端のコネクタで発光表示するだけでなく、ケーブル全体の導線も発光表示の作用と機能を具備するものとし、チェック、整理及び識別に便利とすることにある。
【０００５】
本考案の次の目的は、コンピュータケーブルの導線内部の線状のエレクトロルミネッセンス手段に、異なる発光カラーを割り当て、異なる発光カラーでコンピュータと周辺設備の接続の関係を表示するようにし、これによりチェック、整理及び識別上の不便を有効に解決できるようにすることにある。
【課題を解決するための手段】
【０００６】
請求項１の考案は、透明絶縁材料で外部が被覆された導線と、導線の二端に位置して内部に発光ダイオードが設けられたコネクタを具えたコンピュータ用発光ケーブルにおいて、該導線内部に線状のエレクトロルミネッセンス手段が設けられ、且つ透明ケースを具えた判読装置が介装され、該判読装置に検出起動回路が設けられ、該検出起動回路によりコンピュータと周辺設備の接続を検出し、並びに線状のエレクトロルミネッセンス手段及び二端のコネクタの発光ダイオードに発光表示させることを特徴とする、コンピュータ用発光ケーブルとしている。
【考案の効果】
【０００７】
本考案は、コンピュータ用発光ケーブルの導線内部に線状のエレクトロルミネッセンス手段を設け、並びに判読装置を組み合わせて導線及び信号伝送を検出し、コンピュータケーブルを、二端のコネクタで発光表示するだけでなく、ケーブル全体の導線も発光表示の作用と機能を具備するものとし、チェック、整理及び識別に便利としている。
【０００８】
本考案はまた、コンピュータ用発光ケーブルの導線内部の線状のエレクトロルミネッセンス手段に、異なる発光カラーを割り当て、異なる発光カラーでコンピュータと周辺設備の接続の関係を表示するようにし、これによりチェック、整理及び識別上の不便を有効に解決できる。
【考案を実施するための最良の形態】
【０００９】
本考案は外部を透明絶縁材料で被覆した導線と内部に発光ダイオードが設けられた二端のコネクタで構成されたコンピュータ用発光ケーブルにおいて、導線内部に線状のエレクトロルミネッセンス手段が設けられ、並びに判読装置が介装され、該判読装置に検出起動回路が設けられ、該検出起動回路によりコンピュータと周辺設備の接続の検出を行ない、並びに線状のエレクトロルミネッセンス手段及び二端のコネクタの発光ダイオードに発光表示させるよう形成されている。
【実施例１】
【００１０】
図２、３を参照されたい。本考案はコンピュータと周辺設備の接続に使用されるコンピュータ用発光ケーブル２０を提供し、それはＵＳＢケーブル或いはＩＥＥＥ１３９４ケーブル等とされ、外部が透明絶縁材料で被覆された導線２２、２２’と二端のコネクタ２１、２１’で構成されている。そのうち、二端のコネクタ２１、２１’内部には発光ダイオードが設けられている。本考案の主要な特徴は以下のとおりである。導線２２、２２’の内部に全條の線状のエレクトロルミネッセンス手段（ＥＬ）３２、３２’が設けられ、且つ透明ケースを具えた判読装置３０が介装され、該判読装置３０に検出起動回路３１が設けられ、該検出起動回路３１によりコンピュータと周辺設備が接続された時に導線２２、２２’の導通と非導通、信号伝送の正常と不正常を検出し、並びに検出起動回路３１により線状のエレクトロルミネッセンス手段３２、３２’及び二端のコネクタ２１、２１’の発光ダイオードを駆動して発光表示させる。
【００１１】
前述の検出起動回路３１の電源はコンピュータより得られ、検出起動回路３１によりコンピュータの５Ｖ電源が１４０Ｖ〜１８０Ｖに昇圧され、線状のエレクトロルミネッセンス手段３２、３２’を駆動して発光表示させる。該判読装置３０の検出起動回路３１は、コンピュータと周辺設備の接続を検出し、導線２２、２２’が導通すれば点灯表示し（図４）、不導通であれば発光しない。導線２２、２２’の信号伝送が正常であれば、点滅表示し、不正常であれば点滅表示しない。
【００１２】
本考案のコンピュータ用発光ケーブル２０はその導線２２、２２’内部に設けられた線状のエレクトロルミネッセンス手段３２、３２’、及び導線２２、２２’に介装された判読装置３０により、コンピュータ用発光ケーブル２０の二端のコネクタ２１、２１’を発光表示させ、且つ全体の導線２２、２２’に特定の色で発光表示させ、これによりチェック、整理及び識別の便利性を提供し、周知のコンピュータ用発光ケーブルに較べ、改良性と実用性を具え、完全に実用新案登録の要件を満たしている。
【図面の簡単な説明】
【００１３】
【図１】周知のコンピュータ用発光ケーブルの表示図である。
【図２】本考案の構造表示図である。
【図３】図２の組合せ表示図である。
【図４】本考案の使用状態表示図である。
【符号の説明】
【００１４】
１０  コンピュータ用発光ケーブル        １１、１１’  コネクタ
１２  導線                              ２０  コンピュータ用発光ケーブル
２１、２１’  コネクタ                  ２２、２２’  導線
３０  判読装置                          ３１  検出起動回路
３２、３２’  線状のエレクトロルミネッセンス手段